(57)【要約】  検索ページ表示方法、装置、端末機及び記憶媒体において、この方法は、現在表示ページに位置している検索コントロールに対する第１の予め設定操作に応じて現在表示ページを検索ページに切り替え、検索ページに少なくとも１つの薦め内容の主題を表示させるステップ（Ｓ１１０）と、目標薦め内容の主題に対する第２の予め設定操作を識別したことに応じて目標薦め内容の主題に対応する詳細ページに移行させるステップ（Ｓ１２０）と、を含む。
2021528769.tif 000002
【特許請求の範囲】
【請求項１】
現在表示ページに位置している検索コントロールに対する第１の予め設定操作に応じて前記現在表示ページを検索ページに切り替え、前記検索ページに少なくとも１つの薦め内容の主題を表示させるステップと、
前記目標薦め内容の主題に対する第２の予め設定操作を識別したことに応じて前記目標薦め内容の主題に対応する詳細ページに移行させるステップと、を含むことを特徴とする検索ページ表示方法。
【請求項２】
前記検索ページには、検索ボックスが表示されており、前記少なくとも１つの薦め内容の主題は、前記検索ボックスの下方に表示されることを特徴とする請求項１に記載の検索ページ表示方法。
【請求項３】
前記検索ページには、前記少なくとも１つの薦め内容の主題が表示され、
前記検索ページにおいてリスト形式で表示される少なくとも１つの薦め内容の主題を含むことを特徴とする請求項１に記載の検索ページ表示方法。
【請求項４】
前記薦め内容は、全てのユーザの検索履歴に基づいて確定される人気課題または人気音楽を含むことを特徴とする請求項１に記載の検索ページ表示方法。
【請求項５】
前記第１の予め設定操作は、クリック操作、ダブルクリック操作又は長押し操作を含む、または、前記第２の予め設定操作は、クリック操作、ダブルクリック操作又は長押し操作を含むことを特徴とする請求項１に記載の検索ページ表示方法。
【請求項６】
現在表示ページに位置している検索コントロールに対する第１の予め設定操作に応じて前記現在表示ページを検索ページに切り替え、前記検索ページに少なくとも１つの薦め内容の主題を表示させる切替表示モジュールと、
目標薦め内容の主題に対する第２の予め設定操作を識別したことに応じて、前記目標薦め内容の主題に対応する詳細ページに移行させる移行展示モジュールと、を備えることを特徴とする検索ページ表示装置。
【請求項７】
前記検索ページには、検索ボックスが表示されており、前記少なくとも１つの薦め内容の主題は、前記検索ボックスの下方に表示されることを特徴とする請求項６に記載の検索ページ表示装置。
【請求項８】
前記切替表示モジュールは、前記少なくとも１つの薦め内容の主題をリスト形式で前記検索ページに表示させる表示ユニットを備えることを特徴とする請求項６に記載の検索ページ表示装置。
【請求項９】
前記薦め内容は、全てのユーザの検索履歴に基づいて確定される人気課題または人気音楽を含むことを特徴とする請求項６に記載の検索ページ表示装置。
【請求項１０】
前記第１の予め設定操作は、クリック操作、ダブルクリック操作又は長押し操作を含む、または、前記第２の予め設定操作は、クリック操作、ダブルクリック操作又は長押し操作を含むことを特徴とする請求項６に記載の検索ページ表示装置。
【請求項１１】
少なくとも１つの制御部と、
少なくとも１つのプログラムを記憶する記憶部と、を備え、
前記少なくとも１つの制御部が請求項１〜５のいずれか一項に記載の検索ページ表示方法を実現するように、前記少なくとも１つのプログラムが前記少なくとも１つの制御部によって実行されることを特徴とする端末機。
【請求項１２】
コンピュータプログラムが記憶さており、
前記コンピュータプログラムがプロセッサによって実行されることにより、請求項１〜５のいずれか一項に記載の検索ページ表示方法が実現されることを特徴とするコンピュータ読み取り可能な記憶媒体。
【発明の詳細な説明】
【技術分野】
【０００１】
（関連特許出願の相互参照関）
本願は、２０１８年０７月０６日に中国特許庁出願した、出願番号が２０１８１０７３７００９．９である中国特許出願の優先権を主張し、その全ての内容が参照により本願に援用される。
【０００２】
本発明は、インターネット技術分野に関し、特に検索ページ表示方法、装置、端末機及び記憶媒体に関するものである。
【背景技術】
【０００３】
ネットワーク技術とスマートデバイスとの発展及び普及に伴い、ユーザは多種のクライアントサイドを利用して自分が気乗りする内容を検索することができる。
【０００４】
従来技術において、ユーザの注意力を引き付けるとともに検索効率を向上させるために、対応するサーバがクライアントサイドに現在の人気検索ワードをプッシュし、検索ページにおける検索ボックスの下方にこれらの人気検索ワードを表示させ、ユーザがある人気検索ワードに対して気乗りしてこの人気検索ワードをクリックすると、この人気検索ワードを基にする検索結果を提供し、ユーザはこの検索結果から続いて自分が気乗りする内容を探す。
【０００５】
しかしながら、この過程において、人気検索ワードをプッシュしているが、ユーザが自分でこの人気検索ワードに対応する検索結果から自分が気乗りする内容を続いて探す必要がある、すなわち２回分の検索に相当するので、ユーザの操作が複雑であり、プッシュ及び検索効率が低下し、ユーザエクスペリエンスに影響を与える。
【発明の概要】
【発明が解決しようとする課題】
【０００６】
以下は、本文の詳細な説明の主題に対する概要である。本概要は、特許請求の範囲を限定するためのものではない。
【０００７】
本開示は、従来技術におけるユーザ操作の複雑、プッシュ及び検索効率の低下を防止するための検索ページ表示方法、装置、端末機及び記憶媒体を提供する。
【課題を解決するための手段】
【０００８】
第１の形態では、本開示の実施例に係る検索ページ表示方法は、現在表示ページに位置している検索コントロールに対する第１の予め設定操作に応じて前記現在表示ページを検索ページに切り替え、前記検索ページに少なくとも１つの薦め内容の主題を表示させるステップと、前記目標薦め内容の主題に対する第２の予め設定操作を識別したことに応じて前記目標薦め内容の主題に対応する詳細ページに移行させるステップと、を含む。
【０００９】
第２の形態では、本開示の実施例に係る検索ページ表示装置は、現在表示ページに位置している検索コントロールに対する第１の予め設定操作に応じて前記現在表示ページを検索ページに切り替え、前記検索ページに少なくとも１つの薦め内容の主題を表示させる切替表示モジュールと、目標薦め内容の主題に対する第２の予め設定操作を識別したことに応じて、前記目標薦め内容の主題に対応する詳細ページに移行させる移行展示モジュールと、を備える。
【００１０】
第３の形態では、本開示の実施例に係る端末機は、少なくとも１つの制御部と、少なくとも１つのプログラムを記憶する記憶部と、を備え、前記少なくとも１つの制御部が本開示のいずれかの実施例に記載の検索ページ表示方法を実現するように、前記少なくとも１つのプログラムが前記少なくとも１つの制御部によって実行される。
【００１１】
第４の形態では、本開示の実施例に係るコンピュータ読み取り可能な記憶媒体は、コンピュータプログラムが記憶し、前記コンピュータプログラムがプロセッサによって実行されることにより、本開示のいずれかの実施例に記載の検索ページ表示方法が実現される。
【００１２】
図面及び詳細な説明を閲覧して理解の上、他の形態も把握することができる。
【図面の簡単な説明】
【００１３】
【図１ａ】本開示の実施例に係る検索ページ表示方法のフローチャートである。
【図１ｂ】本開示の実施例に係る現在表示ページから検索ページに切り替えられる効果を示す図である。
【図１ｃ】本開示の実施例に係る検索ページから目標薦め内容の主題に対応する詳細ページに移行される効果を示す図である。
【図２ａ】本開示の実施例に係る検索ページ表示方法のフローチャートである。
【図２ｂ】本開示の実施例に係る検索ページにおける第１の表示領域内に薦め内容の主題を表示させる効果を示す図である。
【図３】本開示の実施例に係る検索ページ表示装置の構成を示すである。
【図４】本開示の実施例に係る端末機の構成を示す図である。
【発明を実施するための形態】
【００１４】
以下、図面及び実施例を参照しながら本開示を説明する。かかる具体的な実施例は、本開示を説明するためのものであり、本開示を限定するためのものではない。なお、便宜上、図面においては、本開示との関連部分のみを示し、全部の構成を示すのではない。
【００１５】
図１ａは、本開示の実施例に係る検索ページ表示方法のフローチャートであり、本実施例は、ユーザが検索するときに現在の人気検索内容をユーザに薦める場合に適用されることができ、この方法は、対応する検索ページ表示装置によって実行されることができ、この検索ページ表示装置は、ソフトウェア及びハードウェアのうちの少なくとも一方によって具現されることができ、例えばスマトフォンやタブレットパソコンのようにネットワーク通信機能及び撮影設備を有するいずれかの端末機に配置されることができる。
【００１６】
図１ａに示したように、本開示の実施例に係る検索ページ表示方法は、ステップＳ１１０及びステップＳ１２０を含むことができる。
【００１７】
ステップＳ１１０では、現在表示ページに位置している検索コントロールに対する第１の予め設定操作に応じて前記現在表示ページを検索ページに切り替え、前記検索ページに少なくとも１つの薦め内容の主題を表示させる。
【００１８】
本公開の実施例では、前記第１の予め設定操作または第２の予め設定操作は、クリック操作、ダブルクリック操作、長押し操作のうちのいずれかの１つであることができるが、ここでは具体的に限定しない。
【００１９】
例示的に、前記第１の予め設定操作がクリック操作であり、現在ユーザがクライアントサイドで検索を行うときに、現在ユーザが現在表示ページにおける検索コントロールをクリックしたことが検出されると、動画プレイページのような現在表示ページから検索ページに切り替えられる。例示的に、図１ｂは、現在表示ページから検索ページに切り替えられる効果図であり、前記検索ページには、ユーザがキーワードを入力して検索を行うように検索ボックス１が表示されており、前記検索ボックスの下方には薦め内容の標識２が設けられている。例示的に、本実施例では、薦め内容が、ユーザグループによる検索頻度が一定の閾値以上である人気検索内容であり、標識２の下方には、サーバが薦めた少なくとも１つの薦め内容の主題を表示させて現在ユーザに提供するための第１の表示領域３が設けられている。
【００２０】
なお、本実施例において人気検索内容を薦め内容の一種とすることは一例にすぎず、本願を限定するためのことではない。
【００２１】
ここで、サーバが現在ユーザに提供する薦め内容の主題は、ネットワーク全般におけるユーザの検索履歴に基づいて、検索頻度の高い一部の薦め内容選定したことであり、ネットワーク全般におけるユーザが気乗りする内容として現在ユーザにプッシュする。また、ネットワーク全般におけるユーザの、ある話題内容に対する総合的重みに基づいて、この話題が薦め内容となることができるかを確定し、例えば、ネットワーク全般におけるユーザの、ある話題内容に対する「いいね」量、コメント量及び再投稿量に基づいて薦め内容を確定することもできる。これ以外、現在ユーザの検索履歴に基づいて現在ユーザの興味・愛好を確定し、現在ユーザにこのユーザの気に入りの薦め内容を進めることもできる。ここで、前記薦め内容は、人気課題または人気音楽であることができる。
【００２２】
ステップＳ１２０では、目標薦め内容の主題に対する第２の予め設定操作を識別したことに応じて、目標薦め内容の主題に対応する詳細ページに移行させる。
【００２３】
本実施例では、前記第２の予め設定操作はクリック操作であることができ、前記目標薦め内容の主題は、第１の表示領域３に提供されるいずれかの薦め内容の主題であることができる。現在ユーザが目標薦め内容の主題をクリックしたことが検出されると、検索ページから目標薦め内容の主題に対応する詳細ページに移行させる。例示的に、図１ｃは、検索ページから目標薦め内容の主題に対応する詳細ページに移行される効果図である。ここで、現在ユーザが「ポテトチップが私を陸釣りした」との主題をクリックしたことが検出されると、検索ページから「ポテトチップが私を陸釣りした」との主題に対応する詳細ページに移行させる。「ポテトチップが私を陸釣りした」との主題に対応する詳細ページには、ネットワーク全般における別のユーザのアップロードした動画のサムネイルが表示される第２の表示領域４が設けられており、現在ユーザは、ある動画の動態的サムネイルをクリックすると、この動画の動態的サムネイルに対応する動画の詳細内容を閲覧することができる。「ポテトチップが私を陸釣りした」との主題に対応する詳細ページには、１つの参与コントロール５がさらに設けられており、現在ユーザは、この参与コントロール５をクリックして撮影ページに進入することができ、さらに、「ポテトチップが私を陸釣りした」との主題の動画を撮影することができる。
【００２４】
本実施例では、ユーザの検索コントロールに対するクリック操作に応じて現在表示ページを検索ページに切り替え、薦め内容を主題の形式で検索ページに表示させ、ユーザがある薦め内容の主題をクリックすると、直接この主題に対する詳細ページに移行させることにより、ユーザの操作が簡単になり、ユーザの検索効率やエクスペリエンスが向上されることができる。
【００２５】
図２ａは、本開示の実施例に係る検索ページ表示方法のフローチャートである。本実施例は、上記の実施例を基にして細分化したものであり、図２ａに示したように、本開示の実施例に係る検索ページ表示方法は、ステップＳ２１０、ステップＳ２２０及びステップＳ２３０を含むことができる。
【００２６】
ステップＳ２１０では、現在表示ページに位置している検索コントロールに対する第１の予め設定操作に応じて前記現在表示ページから検索ページに切り替える。
【００２７】
ステップＳ２２０では、前記検索ページにリスト形式で少なくとも１つの薦め内容の主題を表示させる。
【００２８】
本実施例では、端末機がサーバによって薦められた複数の薦め内容の主題を受けた後に、前記複数薦め内容の主題をリスト形式で前記検索ページに表示させる。例示的に、図２ｂは、第１の表示領域３内に薦め内容の主題を表示させた効果図であり、ここで、薦め内容は、情報フローの形式で展示される。例えば、薦め内容は、２列に分けて逐一展示される。別の実施例では、薦め内容が３列または別のリスト形式で展示されることもできるが、ここでは具体的に限定しない。
【００２９】
ステップＳ２３０では、目標薦め内容の主題に対する第２の予め設定操作を識別したことに応じて、目標薦め内容の主題に対応する詳細ページに移行させる。
【００３０】
本実施例では、ユーザの検索コントロールに対するクリック操作に応じて現在表示ページを検索ページに切り替え、ネットワークにおける薦め内容の主題をリスト形式で検索ページに表示させ、ユーザがある薦め内容の主題をクリックすると、直接この主題に対する詳細ページに移行させることにより、ユーザの操作が簡単になり、ユーザの検索効率やエクスペリエンスが向上されることができる。
【００３１】
図３は、本開示の実施例に係る検索ページ表示装置の構成を示すである。図３に示したように、前記装置は、切替表示モジュール３１０及び移行展示モジュール３２０を備える。
【００３２】
切替表示モジュール３１０は、現在表示ページに位置している検索コントロールに対する第１の予め設定操作に応じて前記現在表示ページを検索ページに切り替え、前記検索ページに少なくとも１つの薦め内容の主題を表示させる。
【００３３】
移行展示モジュール３２０は、目標薦め内容の主題に対する第２の予め設定操作を識別したことに応じて、目標薦め内容の主題に対応する詳細ページに移行させる。
【００３４】
本実施例に係る検索ページ表示装置において、切替表示モジュール３１０がユーザの検索コントロールに対するクリック操作に応じて現在表示ページを検索ページに切り替えさせ、ネットワークにおける薦め内容を主題をリスト形式で検索ページに表示させ、ある薦め内容の主題をクリックすると、移行展示モジュール３２０がユーザが直接この主題に対する詳細ページに移行させることにより、ユーザの操作が簡単になり、ユーザの検索効率やエクスペリエンスが向上されることができる。
【００３５】
上記の実施例に加えて、検索ページには、検索ボックスがさらに表示されており、対応的に、前記少なくとも１つの薦め内容の主題は、前記検索ボックスの下方に表示される。
【００３６】
上記の実施例に加えて、切替表示モジュール３１０は、前記少なくとも１つの薦め内容の主題をリスト形式で前記検索ページに表示させる表示ユニットを備える。
【００３７】
上記の実施例に加えて、薦め内容の主題は、全てのユーザの検索履歴に基づいて確定される人気課題または人気音楽であることができる。
【００３８】
上記の実施例に加えて、前記第１の予め設定操作または第２の予め設定操作は、クリック操作、ダブルクリック操作又は長押し操作を含む。
【００３９】
本開示の実施例に係る検索ページ表示装置は、本開示のいずれかの実施例に係る検索ページ表示方法を実行することができ、この方法を実行するための機能モジュールを備える。
【００４０】
図４は、本開示の実施例に係る端末機のハードウェア構造を示す図である。端末機はいろいろな形式で具現されることができ、本開示における端末機は、携帯電話、スマトフォン、ノートパソコン、デジタル放送受信機、パーソナルデジタルアシスタント（Ｐｅｒｓｏｎａｌ  Ｄｉｇｉｔａｌ  Ａｓｓｉｓｔａｎｔ，ＰＤＡ）、タブレットパソコン（Ｐｏｒｔａｂｌｅ  Ａｎｄｒｏｉｄ  Ｄｅｖｉｃｅ，ＰＡＤ）、携帯マルチメディアプレーヤー（Ｐｏｒｔａｂｌｅ  Ｍｕｌｔｉｍｅｄｉａ  Ｐｌａｙｅｒ，ＰＭＰ）、ナビゲーション装置、車両用端末機、車両用表示端末、車両用電子バックミラーなどのような移動式端末機、およびデジタルテレビ（ｔｅｌｅｖｉｓｉｏｎ，ＴＶ）、卓上型コンピュータなどのような固定式端末機を含むことができるが、これらに限定されることではない。
【００４１】
図４に示したように、端末機１１００は、無線通信ユニット１１１０、オーディオ／ビデオ（Ａｕｄｉｏ／Ｖｉｄｅｏ，Ａ／Ｖ）入力ユニット１１２０、ユーザ入力ユニット１１３０、検出ユニット１１４０、出力ユニット１１５０、記憶部１１６０、インターフェースユニット１１７０、制御部１１８０、及び電源ユニット１１９０などを備えることができる。図４には、複数のアセンブリを有する端末機を示したが、全てのアセンブリが作動する必要はなく、より多い又は少ないアセンブリが作動してもよい。
【００４２】
無線通信ユニット１１１０は、端末機１１００と無線通信システム又はネットワークとの間の無線通信を許容する。Ａ／Ｖ入力ユニット１１２０は、オーディオ信号又はビデオ信号を受信する。ユーザ入力ユニット１１３０は、端末機の各種操作を制御するように、ユーザが入力した命令によってキーインデータを生成することができる。検出ユニット１１４０は、端末機１１００の目前状態、端末機１１００の位置、ユーザの端末機１１００に対するタッチ入力の有無、端末機１１００の配向、端末機１１００の加速又は減速の移動及び方向などを検出し、端末機１１００の操作を制御するための命令又は信号を生成する。インターフェースユニット１１７０は、少なくとも１つの外部装置と端末機１１００とを接続させるためのインターフェースである。出力ユニット１１５０は、視覚、音響及び触感のうちの少なくとも一方の方式で出力信号を提供する。記憶部１１６０は、制御部１１８０によって実行される処理や操作を制御するソフトウェアプログラムなどを記憶する、または、出力済み又は出力直前のデータを一時的に記憶することができる。記憶部１１６０は、少なくとも１種類の記憶媒体を含むことができる。また、端末機１１００は、ネットワークによって接続されて記憶部１１６０の記憶機能を実行するネットワークストレージ装置と協力することができる。制御部１１８０は、一般には端末機の全般操作を制御する。なお、制御部１１８０は、マルチメディアデータを再現又はプレイバックさせるマルチメディアモジュールを含むことができる。制御部１１８０は、タッチパネルでの手書き入力又は絵描き入力を文字又は画像に識別するように、モード識別処理を実行することができる。電源ユニット１１９０は、制御部１１８０の制御によって外部電力又は内部電力を受け、少なくとも１つの素子及びアセンブリの操作に必要である適切な電力を提供する。
【００４３】
制御部１１８０は、記憶部１１６０に記憶されているプログラムを実行することによって、端末機の全般操作を制御することができ、例えば、本開示の実施例に係る検索ページ表示方法を実現し、この方法は、現在表示ページに位置している検索コントロールに対する第１の予め設定操作に応じて前記現在表示ページを検索ページに切り替え、前記検索ページに少なくとも１つの薦め内容の主題を表示させるステップと、目標薦め内容の主題に対する第２の予め設定操作を識別したことに応じて、目標薦め内容の主題に対応する詳細ページに移行させるステップと、を含む。
【００４４】
本開示の実施例に係る記憶媒体は、コンピュータ実行可能な指令を含み、コンピュータ実行可能な指令がコンピュータプロセッサによって実行されるときに、端末機に適用される検索ページ表示方法を実行し、この方法は、現在表示ページに位置している検索コントロールに対する第１の予め設定操作に応じて前記現在表示ページを検索ページに切り替え、前記検索ページに少なくとも１つの薦め内容の主題を表示させるステップと、目標薦め内容の主題に対する第２の予め設定操作を識別したことに応じて、目標薦め内容の主題に対応する詳細ページに移行させるステップと、を含む。
【００４５】
勿論、本開示の実施例に係る記憶媒体は、コンピュータ実行可能な指令を含み、コンピュータ実行可能な指令は、上記した方法操作に限定されず、本開示のいずれかの実施例に係る端末機に適用されるテキストプレイ方法における関連操作も実行することができる。
【００４６】
本開示の実施例におけるコンピュータ記憶媒体は、少なくとも１つのコンピュータ読み取り可能な媒体のいずれかの組合せを採用することができる。コンピュータ読み取り可能な媒体は、コンピュータ読み取り可能な信号媒体又はコンピュータ読み取り可能な記憶媒体であることができる。コンピュータ読み取り可能な記憶媒体は、例えば電気、磁気、光、赤外線、半導体のシステム、装置、部品またはこれらのいずれかの組合せであることができるが、これらに限定されることではない。コンピュータ読み取り可能な記憶媒体のより具体的な例（完全に網羅されていないリスト）としては、少なくとも１つの導線を有する電気接続、携帯式磁気ディスク、ハードディスク、ＲＡＭ、ＲＯＭ、ＥＰＲＯＭ（又は、フラッシュメモリ）、光ファイバ、ＣＤ−ＲＯＭ、光記憶部品、磁気記憶部品、又はこれらのいずれかの組合せがある。本実施例では、コンピュータ読み取り可能な記憶媒体は、いずれかの、プログラムが含まっている又は記憶されている有形的媒体であることができ、このプログラムは、指令実行システム、装置又は部品に使用される、または、指令実行システム、装置又は部品と協同して使用されることができる。
【００４７】
コンピュータ読み取り可能な信号媒体は、ベースバンドの又は搬送波の一部として伝播されるデータ信号を含むことができ、コンピュータ読み取り可能な信号媒体には、コンピュータ読み取り可能なプログラムコードが保持されている。このような伝播されるデータ信号は、電磁気信号、光信号またはこれらのいずれかの組合せのような多様な形式を採用することができるが、これらに限定されることではない。コンピュータ読み取り可能な信号媒体は、コンピュータ読み取り可能な記憶媒体以外のいずれかのコンピュータ読み取り可能な媒体であることもできる。コンピュータ読み取り可能な媒体は、指令実行システム、装置又は部品に使用される、または、指令実行システム、装置又は部品と協同して使用されるプログラムを発送、伝播又は搬送させることができる。
【００４８】
コンピュータ読み取り可能な媒体に保持されたプログラムコードは、いずれかの適切なキャリアによって伝送されることができ、キャリアは、電線、光ファイバケーブル、ＲＦ（Ｒａｄｉｏ  Ｆｒｅｑｕｅｎｃｙ）など又はこれらのいずれかの組合せを含むことができるが、これらに限定されることではない。
【００４９】
少なくとも１種のプログラミング言語又はその組合せで本開示の操作を実行するためのコンピュータプログラムコードを編集することができ、前記プログラミング言語は、Ｊａｖａ、Ｓｍａｌｌｔａｌｋ、Ｃ＋＋、Ｒｕｂｙ、Ｇｏのようなオブジェクト指向のプログラミング言語であることもできるし、Ｃ言語又は類似のプログラミング言語のような手続き型プログラミングであることもできる。プログラムコードは、完全にユーザコンピュータで実行されることができ、または、部分的にユーザコンピュータで実行されることができ、または、独立的なソフトウェアパッケージとして実行されることができ、または、一部がユーザコンピュータで実行されかつ一部がリモートコンピュータで実行されることができ、または、完全にユーザコンピュータ又はサーバで実行されることができる。リモートコンピュータに関する場合は、リモートコンピュータは、ローカルエリアネットワーク（Ｌｏｃａｌ  Ａｒｅａ  Ｎｅｔｗｏｒｋ，ＬＡＮ）またはワイドエリアネットワーク（Ｗｉｄｅ  Ａｒｅａ  Ｎｅｔｗｏｒｋ，ＷＡＮ）のようないずれかのネットワークを介してユーザコンピュータに接続されることができ、または、外部コンピュータに接続されることができる（例えば、インターネットサービスプロバイダのサービス提供によってインターネットを介して接続されることができる）。
【図１ａ】
2021528769.tif 000003
【図１ｂ】
2021528769.tif 000004
【図１ｃ】
2021528769.tif 000005
【図２ａ】
2021528769.tif 000006
【図２ｂ】
2021528769.tif 000007
【図３】
2021528769.tif 000008
【図４】
2021528769.tif 000009
【国際調査報告】
2021528769.tif 000010
2021528769.tif 000011
2021528769.tif 000012
2021528769.tif 000013